(57)【特許請求の範囲】
【請求項１】
床下地に平行に離間させて貼着されている床材間にできる帯状溝に、帯状溝のドレインパイプ側の一端で余部を残して帯体の長尺体を嵌設し、該余部に、短尺体を長尺体に面合わせさせで嵌設した床構造において、帯体の長尺体は帯状溝と略同幅で略同厚みで、その表面に少なくとも１つの長さ方向に連通する凹溝が幅方向左右対称に設けてあり、短尺体は前記長尺体と断面同形であって、長尺体が裏向きで、短尺体が表向きで帯状溝に嵌設されていることを特徴とする床構造。
【請求項２】
床下地に平行に離間させて貼着されている床材間にできる帯状溝に嵌設するドレイン材であって、帯状溝と略同幅で略同厚みで、その表面に少なくとも１つの長さ方向に連通する凹溝が幅方向左右対称に設けた帯体の長尺体と長尺体と断面同形の短尺体を、互いに表裏の関係で幅端面同士を面合わせさせて一体化したことを特徴とする床用ドレイン材。
【発明の詳細な説明】
【０００１】
【発明の属する技術分野】
本発明は、マンション、学校、病院等で使用している室内冷房機が室外に排出する水を建屋外に流出させる共同廊下等の床構造と、この床構造の形成に使用する床用ドレイン材に関する。
【０００２】
【従来の技術】
近年、マンション、学校、病院等の室内冷房機の需要が激増し、冷房機が発生させる水の処理が大きな問題となっている。一般的に、室内冷房機は発生させた水を室外に排出する機能までを具備して販売され設置されている。
【０００３】
【発明が解決しようとする課題】
しかしながら、水をマンション、学校、病院等の建屋外に流出させるために共同廊下等に排水設備が、特に古い建屋には設けられていないのが現状となっている。そのために、古い建屋等で室内冷房機を増設する場合は、ドレイン排水溝材や排水管等を共同廊下等に新たに埋設する工事や共同廊下等に新たに排水溝を形成する工事が行なわれているが、コンクリートの下地を削るなど非常に手間の掛る工事になることから経済的に大きな問題になっている。本発明は上記の問題に鑑みてなされたものであり、排水機能を有した経済的な床構造と、この床構造の形成に使用できる床用ドレイン材を提供することにある。
【０００４】
【課題を解決するための手段】
上記目的を達成するため、本発明の請求項１に係る床構造は、床下地に平行に離間させて貼着されている床材間にできる帯状溝に、帯状溝のドレインパイプ側の一端で余部を残して帯体の長尺体を嵌設し、該余部に、短尺体を長尺体に面合わせさせで嵌設した床構造において、帯体の長尺体は帯状溝と略同幅で略同厚みで、その表面に少なくとも１つの長さ方向に連通する凹溝が幅方向左右対称に設けてあり、短尺体は前記長尺体と断面同形であって、長尺体が裏向きで、短尺体が表向きで帯状溝に嵌設されていることを特徴とする。
【０００５】
これにより、冷房機に接続されているドレインパイプの先端部を固定バンド等で帯状溝の余部に嵌設した表向きの短尺体に接続固定すれば、ドレインパイプの先端部から流出してくる水はこの余部に嵌設した表向きの短尺体の溝内に溜まりつつ、裏向きで嵌設されている帯体の長尺体の凹溝に流れ込み他端部に前もって設けられている排水溝等に速やかに排出される。この場合、凹溝は裏向きであることから、床下地との間にトンネル水路が形成され、この床構造の上を歩いた時に排水に直接触れることも無く、床面が水浸しになるようなこともない。
【０００６】
この際、帯体の凹溝を幅方向左右対称に設けているので、帯体の短尺体と長尺体を表裏の関係で面合わせさせても両者の凹溝の位置が一致することから、スムーズに水が流れ、帯状溝の余部では床下地が剥き出しにならないことから、意匠性に優れたものになる。
【０００７】
また、本発明の請求項２に係る床用ドレイン材は、床下地に平行に離間させて貼着されている床材間にできる帯状溝に嵌設するドレイン材であって、帯状溝と略同幅で略同厚みで、その表面に少なくとも１つの長さ方向に連通する凹溝が幅方向左右対称に設けた帯体の長尺体と長尺体と断面同形の短尺体を、互いに表裏の関係で幅端面同士を面合わせさせて一体化したことを特徴とする。
【０００８】
帯体の短尺体と長尺体を一体化すれば、嵌設時の手間が大きく減少する。また、この帯体の短尺体と長尺体を一体化した床用ドレイン材を使用した床構造は、本発明の請求項１に係る床構造と全く同じ作用を奏することになる。
【０００９】
【発明の実施の形態】
以下、図面を参照して本発明の具体的な実施形態を詳述する。
【００１０】
図１は、本発明の請求項１に係る床構造１の一実施形態を示す斜視図である。図からも明らかなように、この床構造１は、マンションの共同廊下において、床下地４に平行に離間して貼着されている床材３間にできる帯状溝に、帯状溝の一端で余部３１を残して、表面にその長さ方向に連通する少なくとも１つ、図１では５つの凹溝２１をその幅方向左右対称に設け且つ帯状溝と略同幅で略同厚みの帯体２０の長尺体２４を裏向きで嵌設し、同時に、余部３１に同帯体２０の短尺体２３を表向きで長尺体２４に面合わせさせて嵌設したものである。
【００１１】
請求項１に係る床構造１は、マンションの共同廊下等には土足用の床材３が既に敷設されていれば、廊下を横切るように帯体２０の幅と略同幅で床材３を剥がし、逆に床材３の新設時には、床材３を帯体２０の幅と略同幅で平行に離間させて、帯状溝を形成すること等の施工をして構成されることになる。
【０００１２】
また、図１のように、室内冷房機に接続され室外に導出されているドレインパイプ５の先端部を帯状溝の余部３１に嵌設されている短尺体２３の上に置けば、ドレインパイプ５の先端部から流出してくる室内冷房によって発生した水はこの余部３１に嵌設された短尺体２３上に排出されることになる。この場合、ドレインパイプ５の先端部がずれないように固定具等（不図示）で短尺体２３に接続することもできる。
【０００１３】
そして、この水は余部３１に嵌設されている短尺体２３の凹溝２１より、裏向きで嵌設されている帯体２０の長尺体２４の凹溝２１を透して廊下の他端部に前もって設けられている排水溝４０に速やかに排出されることになる。この場合、凹溝２１は裏向きであることから、床下地４との間にトンネル水路が形成され、この床構造１の上を歩いた時に排水に直接触れることも無く、床面が水浸しになるようなこともない。
【０００１４】
図２は、帯体２０の短尺体２３と長尺体２４を表裏の関係で互いの幅端面２２，２２同士を面合わせさせた部分を拡大して示す斜視図であり、帯体２０の凹溝２１を幅方向左右対称に設け両者の凹溝２１が一致していることで、この図から、水路形成がより明確に理解できることになる。
【０００１５】
また、図１と図２は共に本発明の請求項２に係る床用ドレイン材２の一実施形態を示す斜視図ともなる。その場合、床用ドレイン材２は、両図において、表面にその長さ方向に連通する少なくとも１つの凹溝２１をその巾方向左右対称に設けた帯体２０の短尺体２３と長尺体２４を、互いに表裏の関係で幅端面２２，２２同士を面合わせさせて一体化したものになる。
【０００１６】
そして、このような床用ドレイン材２は、一体化した一つのドレイン材として形成されていることから、床下地４に平行に離間させて貼着した床材３間にできる帯状溝に一度で嵌設することができ非常に便利なものになる。
【０００１７】
図３のａ、ｂ、ｃは、それぞれ本発明の床構造１に使用する帯体２０又は床用ドレイン材２の一例を示す断面図である。そのａは、図1及び図２で示した帯体２０又は床用ドレイン材２の断面を示すものであり、そのｂは、左右両端が半円状で広がり且つ上部の開口が狭い断面となる１つの凹溝２１を設けた帯体２０又は床用ドレイン材２の断面を示すものであり、そのｃは、上記ｂで示した凹溝２１と同様な凹溝２１を並列させて２つ設けた帯体２０又は床用ドレイン材２の断面を示すものである。
【００１８】
このように、本発明においては、帯体２０又は床用ドレイン材２の表面に設ける凹溝２１の断面形状は、角、円、これ等の組み合わせなど限定されるものではなく、また、表面での開口の大きさも限定されるものではない。
【００１９】
また、本発明の床用ドレイン材２や帯体２０の形成に使用する材料には、合成樹脂、腐食性の高い金属、防錆処理した金属及び金属と合成樹脂の複合材等が好適に使用できる。
【００２０】
そして、ドレインパイプ５から流れ出る水量は室内冷房機のキャパシティやその日の湿度によるところが大きいが、この流れ出る水量を問題なく排水溝４０に排出させることは、床用ドレイン材２や帯体２０の幅や凹溝２１の断面積及び形成に使用する材料強度等を考慮して設計することによって可能になるのである。
【００２１】
【発明の効果】
本発明の請求項１に係る床構造は、床下地４に平行に離間させて貼着した床材３間にできる帯状溝に、帯状溝の一端で余部を残して、表面にその長さ方向に連通する少なくとも１つの凹溝２１を設けた帯状溝と略同幅で略同厚みの帯体を裏向きで嵌設することから、冷房機に接続されているドレインパイプの先端部を固定バンド等で帯状溝の余部に嵌設された短尺体に接続固定すれば、ドレインパイプの先端部から流出してくる水は短尺体の溝内に溜まりつつ、裏向きで嵌設されている帯体の凹溝に流れ込み他端部に前もって設けられている排水溝等に速やかに排出される。この場合、凹溝は裏向きであることから、床下地との間にトンネル水路が形成され、この床構造の上を歩いた時に排水に直接触れることも無く、床面が水浸しになるようなこともない。また、この場合は帯状溝の余部では床下地が剥き出しにならないことから、意匠性に優れたものになる。
【００２２】
また、本発明の請求項２に係る床用ドレイン材は、床下地４に平行に離間させて貼着した床材３間にできる帯状溝に嵌設するドレイン材であって、表面にその長さ方向に連通する少なくとも１つの凹溝２１をその巾方向左右対称に設けた帯体の短尺体と長尺体を、互いに表裏の関係で幅端面同士を面合わせさせて一体化していることから、嵌設時の手間が大きく減少する。また、この帯体の短尺体と長尺体を一体化した床用ドレイン材を使用した床構造は、本発明の請求項１に係る床構造と全く同じ効果を奏することになる。
【００２３】
【図面の簡単な説明】
【図１】本発明の床構造の一実施形態に係る斜視図である。
【図２】本発明の床用ドレイン材の一実施形態に係る部分斜視図である。
【図３】本発明の一実施形態に係る帯体又は床用ドレイン材の断面図である。
【００２４】
【符号の説明】
１    床構造
２    床用ドレイン材
２０  帯体
２１  凹溝
２２  幅端面
２３  短尺体
２４  長尺体
３    床材
３１  余部
４    床下地
４０  排水溝
５    ドレインパイプ
【図１】
0004480057.tif 000002
【図２】
0004480057.tif 000003
【図３】
0004480057.tif 000004